(57)【要約】【課題】板状の締結材４を被締結材２に締結する際し、必要な締結強度を確保しつつ、１工程で締結でき、作業時間の短縮化、生産コストの削減できるバーリング締結方法を提供する。【解決手段】大孔１が形成された被締結材２に、小孔３が形成された板状の締結材４を重ね合わせ、小孔３にバーリングパンチ５を押し込み、小孔３の周りの部分６を、大孔１の縁部７を起点に大孔１の内方に隆起させ、小孔３の内周面８が押し込み方向前方に向くように変形させることで、小孔３の大孔１側の縁部９を断面三角状の突起１０に変形させ、バーリングパンチ５を更に押し込むことで、大孔１の内方に隆起した小孔３の周りの部分６を、大孔１の内面に沿った筒状のバーリングフランジ１１に変形させると共に、突起１０を大孔１の内周面に押し付けて食い込ませる。【選択図】図１
2020029876.tif 000002
【特許請求の範囲】
【請求項１】
大孔が形成された被締結材に、前記大孔より小径の小孔が形成された板状の締結材を、小孔と大孔との位置を合わせて重ね合わせ、
前記締結材の小孔にバーリングパンチを押し込み、前記締結材の小孔の周りの部分を、前記被締結材の大孔の縁部を起点に大孔の内方に隆起させ、前記締結材の小孔の内周面が押し込み方向前方に向くように変形させることで、前記締結材の小孔の大孔側の縁部を断面三角状の突起に変形させ、
前記バーリングパンチを更に押し込むことで、前記被締結材の大孔の内方に隆起した前記締結材の小孔の周りの部分を、前記被締結材の大孔の内面に沿った筒状のバーリングフランジに変形させると共に、前記締結材の小孔の大孔側の縁部から変形した断面三角状の突起を前記被締結材の大孔の内周面に押し付けて食い込ませるようにした、ことを特徴とするバーリング締結方法。
【請求項２】
大孔が形成された被締結材に、前記大孔より小径の小孔が形成された板状の締結材を、小孔と大孔との位置を合わせて重ね合わせ、前記締結材の小孔の周りの部分を、前記被締結材の大孔の縁部を起点に大孔の内方にバーリングすることで、前記締結材が前記被締結材に締結されたバーリング締結構造であって、
前記締結材の小孔から前記被締結材の大孔の内周面に沿って筒状に形成されたバーリングフランジと、該バーリングフランジの先端に形成され、前記締結材の小孔の大孔側の縁部から変形した断面三角状の突起とを備え、この断面三角状の突起が、前記被締結材の大孔の内周面に押し付けられて食い込んだ状態となっている、ことを特徴とするバーリング締結構造。
【請求項３】
大孔が形成された被締結材に、前記大孔より小径の小孔が形成された板状の締結材を、小孔と大孔との位置を合わせて重ね合わせた状態で、前記締結材を前記被締結材にバーリング締結すべく、前記締結材の小孔に押し込まれるバーリングパンチであって、
前記締結材の小孔の周りの部分を、前記被締結材の大孔の縁部を起点に大孔の内方に押し込んで隆起させ、前記締結材の小孔の内周面が押し込み方向前方に向くように変形させることで、前記締結材の小孔の大孔側の縁部を断面三角状の突起に変形させる円錐台形状部と、
該円錐台形状部に繋げて形成され、前記被締結材の大孔の内方に隆起した締結材の小孔の周りの部分を、前記被締結材の大孔の内面に沿って筒状のバーリングフランジに変形させ、前記締結材の小孔の大孔側の縁部から変形された断面三角状の突起を前記被締結材の大孔の内面に押し付けるアール形状部と、
該アール形状部に繋げて形成され、前記バーリングフランジを前記被締結材の大孔の内周面に押し付けて、前記断面三角状の突起を前記大孔の内周面に食い込ませる円柱形状部とを備えた、ことを特徴とするバーリングパンチ。
【発明の詳細な説明】
【技術分野】
【０００１】
本発明は、大孔が形成された被締結材に小孔が形成された板状の締結材を重ね合わせ、小孔を大孔の内方にバーリング加工することで締結材を被締結材に結合するようにしたバーリング締結方法、この締結方法によって得られるバーリング締結構造およびこの締結方法に用いるバーリングパンチに関する。
【背景技術】
【０００２】
工場等の生産過程において、後工程での作業の円滑化を図るため、事前に被締結材に板状の締結材を重ねて仮固定し、締結材と被締結材とのズレを防ぐ対策が採られることがある。この種の仮固定方法として、板状の締結材に孔を穿孔しその締結材を被締結材に重ねて締結材の孔の部分を被締結材に栓溶接する、或いは、締結材の縁部の一部を被締結材に隅肉溶接することが行われている。
【０００３】
しかし、このように溶接（栓溶接、隅肉溶接）を行うと、スパッタの飛散や溶接ヒュームによって作業環境が悪化する場合があり、ヒュームコレクタ等の設備投資が必要となる。また、溶接時に飛散したスパッタが、溶接箇所の近くに開けられた直ネジ孔や溶接箇所の近くに固定されたナットのネジ部に付着することがあり、リタップしなければならないケースもある。また、溶接のため、溶接ワイヤ、ＣＯ2ガス等が必要となり、これらによるコストアップが避けられない。
【０００４】
溶接以外に、板状の締結材を被締結材に固定する手法として、特許文献１に開示されたバーリング・カシメ工法が知られている。この工法は、予め、板状の締結材に小孔を形成し、被締結材に下方に末広がりのテーパー大孔を形成しておき、下方に末広がりのテーパー大孔が形成された被締結材の上面に小孔が形成された板状の締結材を重ね、締結材の小孔に上方からバーリングパンチを押し込み、被締結材のテーパー大孔内に筒状のバーリングフランジを形成した後、下方から被締結材のテーパー大孔に円錐台状のカシメパンチを押し込み、バーリングフランジをテーパー大孔に沿った形状に変形させ、締結材を被締結材に固定するようにしたものである。
【０００５】
別のバーリング・カシメ工法として特許文献２に開示されたものも知られている。この工法は、予め、板状の締結材にバーリング加工を施して円筒部および爪部からなるバーリングフランジを形成し、被締結材に締結孔を形成しておき、被締結材の締結孔に締結材のバーリングフランジを差し込んだ後、孔から飛び出たバーリングフランジに差し込み方向と反対側からカシメパンチを押し込み、カシメパンチによってバーリングフランジの爪部を締結孔の径方向外方に押し倒し、締結材を被締結材に固定するようにしたものである。
【先行技術文献】
【特許文献】
【０００６】
【特許文献１】特開昭６３−２５４２０９号公報
【特許文献２】特開平１１−１７９４５２号公報
【発明の概要】
【発明が解決しようとする課題】
【０００７】
特許文献１、２に開示されたバーリング・カシメ工法によれば、溶接を用いることなく板状の締結材を被締結材に締結しているので、溶接に伴うスパッタ対策やヒューム対策が不要となる。しかし、バーリング工程に加えてカシメ工程が必要なので、２工程分の作業時間が避けられない。また、バーリング加工用のバーリングパンチに加えてカシメ加工用のカシメパンチも必要となるので、生産コストが増大してしまう。
【０００８】
以上の事情を考慮して創案された本発明の目的は、溶接を用いることなく板状の締結材を被締結材に締結する際し、必要な締結強度を確保しつつ、１工程で締結でき、作業時間の短縮化、生産コストの削減を推進できるバーリング締結方法、バーリング締結構造およびバーリングパンチを提供することにある。
【課題を解決するための手段】
【０００９】
上述した目的を達成すべく創案された本発明に係るバーリング締結方法によれば、大孔が形成された被締結材に、大孔より小径の小孔が形成された板状の締結材を、小孔と大孔との位置を合わせて重ね合わせ、締結材の小孔にバーリングパンチを押し込み、締結材の小孔の周りの部分を、被締結材の大孔の縁部を起点に大孔の内方に隆起させ、締結材の小孔の内周面が押し込み方向前方に向くように変形させることで、締結材の小孔の大孔側の縁部を断面三角状の突起に変形させ、バーリングパンチを更に押し込むことで、被締結材の大孔の内方に隆起した締結材の小孔の周りの部分を、被締結材の大孔の内面に沿った筒状のバーリングフランジに変形させると共に、締結材の小孔の大孔側の縁部から変形した断面三角状の突起を被締結材の大孔の内周面に押し付けて食い込ませるようにした、ことを特徴とするバーリング締結方法が提供される。
【００１０】
また、本発明に係るバーリング締結構造によれば、大孔が形成された被締結材に、大孔より小径の小孔が形成された板状の締結材を、小孔と大孔との位置を合わせて重ね合わせ、締結材の小孔の周りの部分を、被締結材の大孔の縁部を起点に大孔の内方にバーリングすることで、締結材が被締結材に締結されたバーリング締結構造であって、締結材の小孔から被締結材の大孔の内周面に沿って筒状に形成されたバーリングフランジと、バーリングフランジの先端に形成され、締結材の小孔の大孔側の縁部から変形した断面三角状の突起とを備え、この断面三角状の突起が、被締結材の大孔の内周面に押し付けられて食い込んだ状態となっている、ことを特徴とするバーリング締結構造が提供される。
【００１１】
また、本発明に係るバーリングパンチによれば、大孔が形成された被締結材に、大孔より小径の小孔が形成された板状の締結材を、小孔と大孔との位置を合わせて重ね合わせた状態で、締結材を被締結材にバーリング締結すべく、締結材の小孔に押し込まれるバーリングパンチであって、締結材の小孔の周りの部分を、被締結材の大孔の縁部を起点に大孔の内方に押し込んで隆起させ、締結材の小孔の内周面が押し込み方向前方に向くように変形させることで、締結材の小孔の大孔側の縁部を断面三角状の突起に変形させる円錐台形状部と、円錐台形状部に繋げて形成され、被締結材の大孔の内方に隆起した締結材の小孔の周りの部分を、被締結材の大孔の内面に沿って筒状のバーリングフランジに変形させ、締結材の小孔の大孔側の縁部から変形された断面三角状の突起を被締結材の大孔の内面に押し付けるアール形状部と、アール形状部に繋げて形成され、バーリングフランジを被締結材の大孔の内周面に押し付けて、断面三角状の突起を大孔の内周面に食い込ませる円柱形状部とを備えた、ことを特徴とするバーリングパンチが提供される。
【発明の効果】
【００１２】
本発明に係るバーリング締結方法、バーリング締結構造およびバーリングパンチによれば、次のような効果を発揮できる。
（１）被締結材の大孔の位置に合わせて重ねられた板状の締結材の小孔にバーリングパンチを押し込むという１工程のみで締結材を被締結材にバーリング締結でき、従来必要であったカシメ工程が不要となるので、作業時間の短縮化、生産コストの削減を推進できる。
（２）バーリングパンチの押し込みに伴って、締結材の小孔の縁部から変形した断面三角形状の突起を、被締結材の大孔の内周面に押し付けて食い込ませるようにしているので、カシメ工程が無くても必要な締結強度を確保できる。
【図面の簡単な説明】
【００１３】
【図１】本発明の一実施形態に係るバーリング締結方法を示す工程図であり、図１（ａ）〜図１（ｉ）は各工程における締結材、被締結材およびバーリングパンチを示す断面図である。
【図２】図１のバーリング締結方法によって得られるバーリング締結構造の説明図であり、図２（ａ）は締結材および被締結材の断面図、図２（ｂ）は締結材および被締結材の断面斜視図である。
【図３】バーリング締結構造の説明図であり、図３（ａ）は被締結材の大孔がドリル孔の場合の断面図、図３（ｂ）は大孔がピアス孔（上部が剪断面、下部が破断面）の場合の断面図、図３（ｃ）は大孔がピアス孔（上部が破断面、下部が剪断面）の場合の断面図である。
【図４】本発明の変形例に係るバーリング締結方法を示す工程図であり、図４（ａ）は図１（ｈ）に続く工程を示す断面図、図４（ｂ）は図４（ａ）に続く工程を示す断面図である。
【発明を実施するための形態】
【００１４】
以下に添付図面を参照しながら、本発明の好適な実施形態について詳細に説明する。係る実施形態に示す寸法、材料、その他具体的な数値等は、発明の理解を容易にするための例示に過ぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１５】
（バーリング締結方法）
図１（ａ）〜図１（ｉ）に示すように、本発明の一実施形態に係るバーリング締結方法は、大孔１が形成された被締結材２に小孔３が形成された板状の締結材４を重ね、小孔３を大孔１の内方にバーリング加工することで締結材４を被締結材２にバーリング締結するものである。
【００１６】
先ず、図１（ａ）に示すように、大孔１が形成された被締結材２（金属）に、大孔１より小径の小孔３が形成された板状の締結材４（金属）を、小孔３と大孔１との位置（中心）を合わせて重ね合わせる。次に、図１（ｂ）、図１（ｃ）に示すように、締結材４の小孔３にバーリングパンチ５を押し込み、締結材４の小孔３の周りの部分６を、被締結材２の大孔１の縁部７を起点に大孔１の内方に隆起させ、締結材４の小孔３の内周面８が押し込み方向前方に向くように変形させることで、締結材４の小孔３の大孔１側の縁部９を断面三角状の突起１０に変形させる。
【００１７】
なお、被締結材２の下面は、バーリングパンチ５が下降する部分を除いて図示しない基盤によって広い面積で支持されており、安定したバーリング加工が行えるようになっている。また、締結材４の小孔３にバーリングパンチ５を押し込むに先立って、締結材４を図示しない板押さえによって被締結材２に押し付けるようにし、バーリング加工時に締結材４が被締結材２から浮き上がるように変形する事態を抑えるようにしてもよい。かかる板押さえは、例えば一般的なピアス成形の場合と異なり、バーリングパンチ５から少し離れた位置を押さえれば足りるため、バーリング加工の状況を適切に目視できる。
【００１８】
続いて、図１（ｄ）、図１（ｅ）、図１（ｆ）に示すように、バーリングパンチ５を更に押し込むことで、被締結材２の大孔１の内方に隆起した締結材４の小孔３の周りの部分６を、被締結材２の大孔１の内面に沿った筒状のバーリングフランジ１１に変形させると共に、締結材４の小孔３の大孔１側の縁部９から変形した断面三角状の突起１０を被締結材２の大孔１の内周面に押し付ける。ここで、図１（ａ）に示す小孔３の内径ａ、大孔１の内径ｂおよび大孔１の長さ（被締結材２の板厚）ｃの関係は、小孔３にバーリングパンチ５を押し込んでバーリング加工したとき、小孔３の周りの部分６から筒状に変形されるバーリングフランジ１１の先端（下端）が大孔１の反対側から飛び出ない関係（（ｂ−ａ）／２＜ｃ）となっている。
【００１９】
その後、図１（ｇ）、図１（ｈ）に示すように、バーリングパンチ５を更に押し込むことで、締結材４の小孔３の大孔１側の縁部９から変形した断面三角状の突起１０を、被締結材２の大孔１の内周面に食い込ませる。ここで、締結材４の小孔３の大孔１側の縁部９から変形した断面三角状の突起１０を被締結材２の大孔１の内周面に適切に食い込ませるためには、締結材４の材質を被締結材２の材質よりも硬いものを用いることが好ましい。例えば、締結材４の材質にハイテン材を用い、被締結材２に一般構造用鋼材を用いること等が考えられる。但し、同じ材質（鋼等）であっても構わない。最後に、図１（ｉ）に示すように、バーリングパンチ５を上方に引き抜いて、締結作業終了となる。
【００２０】
（バーリング締結構造１２）
図２（ａ）に、上述したバーリング締結方法によって得られるバーリング締結構造１２の断面図を、図２（ｂ）にバーリング締結構造１２の断面斜視図を示す。本発明の一実施形態に係るバーリング締結構造１２は、既述のように、大孔１が形成された被締結材２に、大孔１より小径の小孔３が形成された板状の締結材４を、小孔３と大孔１との位置を合わせて重ね合わせ、締結材４の小孔３の周りの部分６を、被締結材２の大孔１の縁部７を起点に大孔１の内方にバーリングすることで、締結材４が被締結材２に締結されたバーリング締結構造である。なお、図２（ａ）に示す一点鎖線は、板状の締結材４の小孔３の周りの部分６がバーリング加工される前の様子を仮想的に表したものである。
【００２１】
図２（ａ）、図２（ｂ）に示すように、本実施形態に係るバーリング締結構造１２は、締結材４の小孔３から被締結材２の大孔１の内周面に沿って筒状に形成されたバーリングフランジ１１と、バーリングフランジ１１の先端に形成され、締結材４の小孔３の大孔１側の縁部９から変形した断面三角状の突起１０とを備えており、この断面三角状の突起１０が、被締結材２の大孔１の内周面に押し付けられて食い込んだ状態となっている。これにより、必要な締結強度を得ている。
【００２２】
このように、板状の締結材４を被締結材２にバーリング締結した後、後工程において、図２（ｂ）に示す締結材４の縁部４ａをその長手方向に沿って被締結材２に隅肉溶接することで、締結材４を被締結材２に強固に固定するようにしてもよい。この場合、締結材４が被締結材２にバーリング締結されたワークを、バーリングパンチ５を下降させるためのプレス装置が設置された場所から、溶接設備が調った場所に移動させることになる。
【００２３】
この際、締結材４の突起１０が被締結材２の大孔１の内周面に食い込んだ状態となって必要な締結強度が確保されているので、移動時にワークが振動等しても、締結材４が被締結材２から外れたり、締結材４の被締結材２に対する相対的な位置関係がズレることはなく、適切な位置関係を保った状態で溶接できる。
【００２４】
なお、図１（ａ）〜図１（ｉ）に示すバーリング締結方法を、締結材４および被締結材２の複数箇所に同時に施すようにしてもよい。複数箇所をバーリング締結することで、図２（ｂ）に示す締結材４がバーリングフランジ１１を中心として被締結材２に対して回転してしまう事態を確実に防止できる。
【００２５】
図３（ａ）に被締結材２の大孔１がドリル孔の場合の断面図を示し、図３（ｂ）に大孔１がピアス孔（上部が剪断面１ｘ、下部が破断面１ｙ）の場合の断面図を示し、図３（ｃ）に大孔１がピアス孔（上部が破断面１ｙ、下部が剪断面１ｘ）の場合の断面図を示す。図３（ａ）に示すように、大孔１がドリル孔の場合、大孔１の内径が孔長方向に一定となるが、図３（ｂ）、図３（ｃ）に示すように、ピアス孔の場合、ピアス打ち抜き方向の前側が剪断面１ｘ、後側が破断面１ｙとなり、破断面１ｙの方が剪断面１ｘよりも内径が不規則に大きくなる。
【００２６】
本実施形態に係るバーリング締結構造１２によれば、図３（ａ）に示すように大孔１がドリル孔の場合は勿論、図３（ｂ）に示すように大孔１の上部が剪断面１ｘ、下部が破断面１ｙとなっていても、図３（ｃ）に示すように大孔１の上部が破断面１ｙ、下部が剪断面１ｘとなっていても、締結材２の小孔の大孔１側の縁部９から変形した断面三角状の突起１０が、バーリングパンチ５の押し込みに伴って適切に被締結材２の大孔１の内周面に押し付けられて食い込まされた状態となるので、必要な締結強度を得ることができる。よって、大孔１がドリル孔の場合のみならず、ピアス孔の場合にもピアス打ち抜き方向に関わりなく対応できる。
【００２７】
（バーリングパンチ５）
図１（ａ）〜図１（ｉ）を用いて、上述したバーリング締結方法に用いるバーリングパンチ５について述べる。既述のように、本発明の一実施形態に係るバーリングパンチ５は、大孔１が形成された被締結材２に、大孔１より小径の小孔３が形成された板状の締結材４を、小孔３と大孔１との位置を合わせて重ね合わせた状態で、締結材４を被締結材２にバーリング締結すべく、締結材４の小孔３に押し込まれるものである。
【００２８】
図１（ａ）〜図１（ｃ）に示すように、本実施形態に係るバーリングパンチ５は、締結材４の小孔３の周りの部分６を、被締結材２の大孔１の縁部７を起点に大孔１の内方に押し込んで隆起させ、締結材４の小孔３の内周面８が押し込み方向前方に向くように変形させることで、締結材４の小孔３の大孔１側の縁部９を断面三角状の突起１０に変形させる円錐台形状部１３を備えている。
【００２９】
このバーリングパンチ５は、図１（ｄ）、図１（ｅ）に示すように、円錐台形状部１３の上部に繋げて一体的形成され、被締結材２の大孔１の内方に隆起した締結材４の小孔３の周りの部分６を、被締結材２の大孔１の内面に沿って筒状のバーリングフランジ１１に変形させ、締結材４の小孔３の大孔１側の縁部９から変形された断面三角状の突起１０を被締結材２の大孔１の内面に押し付けるアール形状部１４を備えている。
【００３０】
このバーリングパンチ５は、図１（ｆ）〜図１（ｈ）に示すように、アール形状部１４の上部に繋げて一体的形成され、バーリングフランジ１１を被締結材２の大孔１の内周面に押し付けて、断面三角状の突起１０を大孔１の内周面に食い込ませる円柱形状部１５を備えている。円柱形状部１５の直径Ｘは、大孔の内径をｂ、締結材の板厚をｄとすると、断面三角状の突起１０を大孔１の内周面に適切に食い込ませるために、ｂ＞Ｘ＞ｂ−２ｄ  の範囲で設定される。
【００３１】
また、このバーリングパンチ５は、図１（ａ）に示すように、円錐台形状部１３の下部に繋げて一体的に形成された円錐形状部１６を備えている。円錐形状部１６は、バーリングパンチ５を締結材４の小孔３に向けて下降させた際、バーリングパンチ５の中心を小孔３の中心に合わせるガイド機能を発揮する。バーリングパンチ５の中心が小孔３の中心に一致することで、バーリングパンチ５によって押し広げられてバーリングされる締結材４の小孔３の周りの部分６の周方向の応力が均一化し、バーリングフランジ１１に所謂ネッキングや割れが発生することを防止できる。なお、円錐形状部１６の先端は、尖り形状ではなくアール形状としてもよい。
【００３２】
（作用・効果）
本実施形態に係るバーリング締結方法、バーリング締結構造１２およびバーリングパンチ５によれば、図１（ａ）〜図１（ｉ）に示すように、被締結材２の大孔の位置に合わせて重ねられた板状の締結材４の小孔３にバーリングパンチ５を押し込むという１工程のみで締結材４を被締結材２にバーリング締結でき、従来例（特許文献１、２参照）では必要であったカシメ工程が不要となるので、作業時間の短縮化、生産コストの削減を推進できる。
【００３３】
図１（ｄ）〜図１（ｈ）に示すように、バーリングパンチ５の押し込みに伴って、締結材４の小孔３の縁部９から変形した断面三角形状の突起１０を、被締結材２の大孔１の内周面に押し付けて食い込ませるようにしているので、従来例（特許文献１、２参照）のようにカシメ工程が無くても、締結材４の被締結材２に対する必要な締結強度を確保することができる。
【００３４】
溶接を行わず、締結材４の一部をバーリング変形させて締結しているので、副材料費が生じない。溶接を行わないため、スパッタの飛散、溶接ヒュームが無く、作業環境が悪化することはなく、ヒュームコレクタ等の設備投資も不要である。また、スパッタの飛散が無いため、近くに直ネジ孔や固定されたナットが有る場合でも、スパッタ付着に因るリタップを行う必要がない。また、溶接ワイヤ、溶接用ＣＯ2ガス等は不要であり、これらによるコストアップを回避できる。
【００３５】
（変形例）
図４（ａ）、図４（ｂ）に、本発明の変形例に係るバーリング締結方法の工程図を示す。図４（ａ）は図１（ｈ）に続く工程を示す断面図、図４（ｂ）は図４（ａ）に続く工程を示す断面図である。この変形例に係るバーリング締結方法は、図１（ａ）〜図１（ｈ）の工程に関しては、上述した前実施形態に係るバーリング締結方法と同様であるため、以下相違点のみについて説明する。
【００３６】
この変形例に係るバーリング締結方法おいては、図１（ｈ）に示す工程によってバーリングフランジ１１を成形した後、図４（ａ）に示すように、バーリングフランジ１１の先端（下端）に対向するように受け座１７を配置し、板状の締結材４の上面に板押さえ１８を配置する。受け座１７は、バーリングパンチ５の円柱形状部１５と被締結材２の大孔１との隙間に応じた肉厚を有していて隙間に差し入れられる円筒部１７ａと、円筒部１７ａに接続されたベース板部１７ｂとから構成されている。板押さえ１８は、バーリングパンチ５が挿通される孔１８ａを有する板材から構成されている。
【００３７】
図４（ａ）に示すように、板押さえ１８、受け座１７を配置した後、締結材４の上面を板押さえ１８で押さえながら受け座１７を上昇させ、図４（ｂ）に示すように、バーリングフランジ１１の先端に背圧を負荷することで、バーリングフランジ１１を軸方向に圧縮して厚肉化させ、バーリングフランジ１１の外周面と被締結材２の大穴１の内周面との密着性を高める。この場合においても、締結材４の小孔３の縁部９から変形した断面三角形状の突起１０が、被締結材２の大孔１の内周面に押し付けられて食い込んだ状態となるので、これによる締結強度の向上効果を確保できる。
【００３８】
以上、添付図面を参照しつつ本発明の好適な実施形態について説明したが、本発明は上述した実施形態に限定されないことは勿論であり、特許請求の範囲に記載された範疇における各種の変更例または修正例についても、本発明の技術的範囲に属することは言うまでもない。
【００３９】
例えば、上記実施形態においては、締結材４と被締結材２とを共に金属板（鉄等）としたが、締結材４を金属板（鉄等）とし被締結材２を硬質樹脂板としてもよい。また、図１（ｉ）に示すように、締結材４を被締結材２にバーリング締結した後、バーリングフランジ１１の内方に形成された孔１９をボルト孔として利用してもよい。すなわち、この孔１９にボルトを挿通し、締結材４と被締結材２とを挟み込むようにボルトのネジ部にナットを締め付けてもよい。
【産業上の利用可能性】
【００４０】
本発明は、板状の締結材４を被締結材２に締結する際し、必要な締結強度を確保しつつ、１工程で締結でき、作業時間の短縮化、生産コストの削減を推進できるバーリング締結方法、バーリング締結構造およびバーリングパンチに利用できる。
【符号の説明】
【００４１】
１  大孔
２  被締結材
３  小孔
４  締結材
５  バーリングパンチ
６  締結材の小孔の周りの部分
７  被締結材の大孔の縁部
８  締結材の小孔の内周面
９  締結材の小孔の大孔側の縁部
１０  断面三角状の突起
１１  バーリングフランジ
１２  バーリング締結構造
１３  円錐台形状部
１４  アール形状部
１５  円柱形状部
１６  円錐形状部
１７  受け座
１８  板押さえ
１９  バーリングフランジ１１の内方に形成された孔
【図１】
2020029876.tif 000003
【図２】
2020029876.tif 000004
【図３】
2020029876.tif 000005
【図４】
2020029876.tif 000006